(57)【要約】【課題】動画データとその動画記録中に記録した静止画データとを同じ記録媒体に記録する。【解決手段】カメラ１０には、第１及び第２記録媒体３２，３４が設けられている。第１記録媒体３２には、動画データを記録する。第２記録媒体３４には、その動画記録中に静止画記録操作が指示されたときに得られる静止画データを記録する。ＣＰＵ２６は、動画記録後に、第１記録媒体３２の空き容量を調べ、第２記録媒体３４に記録した静止画データを書き込む分の空き容量がある場合、第２記録媒体３４に記録した静止画データを第１記録媒体３２に移動する。【選択図】        図１
2005012378.tif 000002
【特許請求の範囲】
【請求項１】
動画記録中に得られる動画データを記録する第１記録媒体と、前記動画を記録中に静止画データを記録する第２記録媒体とを備えた画像記録装置において、
前記動画データの記録を終了した後、前記第１記録媒体に空き容量がある場合には、前記第２記録媒体に記録した静止画データを前記第１記録媒体に移動する制御手段を備えたことを特徴とする画像記録装置。
【請求項２】
動画データを第１記録媒体に記録し、前記動画データを記録中に静止画データを第２記録媒体に記録する画像記録方法において、
前記動画記録終了後、前記第１記録媒体に空き容量がある場合には、前記第２記録媒体に記録した静止画データを前記第１記録媒体に移動することを特徴とする画像記録方法。
【請求項３】
動画記録完了後に移動対象の前記静止画データを検索するために、前記静止画データを第２記録媒体に記録するときに、その時点で記録中の動画データに関連する旨の関連情報を前記静止画データに付加して書き込むことを特徴とする請求項２記載の画像記録方法。
【請求項４】
動画記録中に複数の静止画データを記録した場合には、静止画データ１個分以上の空き容量が前記第１記録媒体に存在するか否かを判断し、存在する場合に前記複数のうちの何れかの静止画データを前記第１記録媒体に移動することを特徴とする請求項２又は３記載の画像記録方法。
【発明の詳細な説明】
【０００１】
【発明の属する技術分野】
本発明は、動画データを記録する第１記録媒体と、その動画記録中に静止画記録操作が行われたときに得られる静止画データを記録する第２記録媒体とを備えた画像記録装置及び画像記録方法に関するものである。
【０００２】
【従来の技術】
従来、デジタルビデオカメラが知られている。このカメラは、テレビカメラとテープレコーダー部とを備え、アナログの映像や音声信号をデジタルの動画データに変換して、その動画データをレコーダー部でデジタルビデオテープに記録する。テープに記録するフォーマットは、Ｍｏｔｉｏｎ  ＪＰＥＧ（ＭＰＧ）と同様に、１フレーム単位での編集が可能という特徴を持つ。
【０００３】
ところで、ビデオカメラで記録した動画データのうちの任意のフレームを静止画データとして取り出してプリントアウトすることが望まれている。しかし、そのテープに記録した動画データをパソコン（パーソナルコンピュータ）に取り込み、パソコンで動画データを再生して、静止画データを取り出すために任意のフレームのスクリーンショットを撮っても、その動画データがインターレースで記録されているため、微妙にブレが生じた静止画になってしまう。
【０００４】
また、カメラ側の方では、同一の記録媒体に、動画と静止画との両方のデータを同時に記録することはできない。そこで、ビデオテープとは異なる記録媒体であるメモリーカードをカメラに設け、動画データをビデオテープに記録中に、静止画記録操作が行われたときには、その時点の静止画データをメモリカードに記録するようにしたものが知られている（特許文献１）。
【０００５】
一方、デジタルスチルカメラは、高画質な静止画データをメモリカードなどの記録媒体に記録する。そして、近年では、静止画データのみならず短時間ではあるが動画データも記録することができるものが提供されており、動画と静止画とを同時に記録するために複数の記録媒体を備えているものも知られている（特許文献２）。
【０００６】
【特許文献１】
特開平１１−１８７３５０号公報
【特許文献２】
特開２００１−１３６４７５号公報
【０００７】
【発明が解決しようとする課題】
ところで、動画とそれに関連の静止画とのデータを別々の記録媒体に分けて記録する場合、再生又はデータ編集時に、各記録媒体との通信を切り換えて一々参照する操作が必要になり、編集や再生に手間が生じる。
【０００８】
本発明は、上記問題点を考慮してなされたものであり、別々の記録媒体に分けて記録される動画データとその動画データを記録中に静止画記録操作を行ったときに得られる関連の静止画データとを簡単に結びつけて記録することができる画像記録装置及び画像記録方法とを提供することを目的とする。
【０００９】
【課題を解決するための手段】
上記目的を達成するために、本発明では、動画記録中に得られる動画データを記録する第１記録媒体と、前記動画を記録中に静止画データを記録する第２記録媒体とを備え、前記動画データの記録を終了した後、第１記録媒体に空き容量がある場合には、第２記録媒体に記録した静止画データを第１記録媒体に移動する制御手段を備えたものである。
【００１０】
制御手段としては、動画データの記録を終了した後、第２記録媒体に記録した関連の静止画データの容量を検知する検知手段と、検知手段が検知した容量分を書き込む空き容量が第１記録媒体に存在するか否かを判断する判断手段と、空き容量が存在すると判断手段が判断した場合に、第２記録媒体に記録した関連の静止画データを、対象となる動画データを記録した第１記録媒体に移動する移動操作手段とで構成するのが望ましい。
【００１１】
第２記録媒体には、動画データに関連しない静止画データも記録される。そこで、動画及びそれに関連の静止画データに、互いが関連である旨の関連情報を書き込む必要がある。よって、関連情報記録手段を設け、第２記録媒体に記録する前又は後で、少なくとも静止画データに関連情報を書き込むようにする。そして、検索手段を設け、静止画データを参照することで動画データに関連する静止画データを検索する。これにより、第２記録媒体に記録した複数の静止画データのうちの該当する静止画データのみを検知手段が選んで容量を検知することができる。
【００１２】
第１記録媒体に空き容量が存在しない場合には移動しない。しかし、動画記録中に複数の静止画データを記録しており、このうちの１個の静止画データ分の空き容量が第１記録媒体にある場合には、１個の静止画データを移動するように制御するのが好適である。動画記録中に取り込んだ複数の静止画データは容量が同じであるため、１個の静止画データの容量を調べるだけで空きがあるか否かを直ぐに判断することができる。
【００１３】
第１記録媒体のファイルを削除することで空き容量が変化する。この場合には、第２記録媒体に記録の静止画データを表示中又は後で、第１記録媒体の空き容量を調べ、空き容量が存在する場合には、その静止画データを第２記録媒体から第１記録媒体に移動するのが望ましい。なお、この移動処理は、表示した静止画データに関連する動画データが第１記録媒体に存在する場合であり、存在しない場合には移動することはない。
【００１４】
【発明の実施の形態】
【００１５】
電子カメラ１０は、フォーカスの調節が可能な撮影レンズ１１と、映像を電気信号に変換するＣＣＤ（固体撮像素子）１２とを含む撮像手段を備えている。撮像レンズ１１を通しった被写体光はＣＣＤ１２の受光面に結像する。
【００１６】
操作部１３に設けたモード切替スイッチによりカメラ１０をカメラモードに設定すると、システムコントローラ１４から発せられる制御信号に応じて、タイミングジェネレータ（ＴＧ）１５はシグナルジェネレータ（ＳＧ）１６から出力される垂直同期信号および水平同期信号に基づいてタイミング信号を生成し、ＣＣＤ１２をプログレッシブスキャン方式で駆動する。この結果、被写体の撮影データがＣＣＤ１２から出力される。出力されたカメラ信号は、ＣＤＳ／ＡＧＣ回路１７でノイズ除去及びレベル調整を施され、その後Ａ／Ｄ変換器１８によってデジタルの画像データに変換される。信号処理回路１９は、Ａ／Ｄ変換器１８から出力された画像データにＹＵＶ変換を施し、ＹＵＶデータを生成する。
【００１７】
生成されたＹＵＶデータはデータバス２０を介してメモリ制御回路２１に与えられ、メモリ制御回路２１はデータバス２２を介して与えられたＹＵＶデータを内部メモリ２３に書き込む。これは、ＣＣＤ１２がプログレッシブスキャン方式を採用する一方、モニタ２４はインタレーススキャン方式を採用するためであり、走査方式の変換のためにＹＵＶデータが一時的に内部メモリ２３に格納される。格納されたＹＵＶデータはその後、メモリ制御回路２１によってインタレーススキャン方式で読み出され、データバス２０を介してビデオエンコーダ２５に与えられる。ビデオエンコーダ２５は入力されたＹＵＶデータからＮＴＳＣフォーマットに従ったコンポジット画像信号を生成し、モニタ２４に入力する。この結果、被写体の動画像がリアルタイムでモニタ２４に表示される。
【００１８】
ユーザーが操作部１３に設けた録画スタート／ストップボタンを１回押すと、システムコントローラ１４から制御信号が発せられ、動画記録動作がスタートする。ＣＰＵ２６は制御信号を受けて、マイク２７、Ａ／Ｄ変換器２８、信号処理回路２９を能動化する。信号処理回路２９は、マイク２７及びＡ／Ｄ変換器２８を経て入力された音声データに所定の処理を施し、処理された音声データはメモリ制御回路２１を介して内部メモリ２３に書き込まれる。
【００１９】
一方、前記録画スタート／ストップボタンの押下に伴って、ＣＰＵ２６は動画圧縮／伸長回路３０に画像データ圧縮命令を与える。動画圧縮／伸長回路３０は、メモリ制御回路２１にＹＵＶデータの読み出しリクエストを出力し、リクエストに応えて出力された１フレーム分のＹＵＶデータに圧縮処理を施す。圧縮された画像データは、データバス２０，２２を介して再び内部メモリ２３に格納される。
【００２０】
ユーザーによって前記録画スタート／ストップボタンが再度押下されない限り、デジタルカメラ１０は音声データの採取と、動画圧縮／伸長回路３０への圧縮命令を続ける。そのため、音声データ及び圧縮画像データが内部メモリ２３に蓄積され続ける。そして、前記録画スタート／ストップボタンが押下されると、ＣＰＵ２６はマイク２７、Ａ／Ｄ変換器２８、信号処理回路２９を不能化し、動画圧縮／伸長回路３０への圧縮命令を解除する。そしてメモリ制御回路２１に、蓄積した音声データと圧縮画像データの読み出し命令を与える。メモリ制御回路２１はこれに応答して、例えば１秒分の音声データと、例えば１５フレーム分の圧縮画像データを交互に読み出し、読み出された音声データと圧縮画像データは例えば、ＡＶＩファイルとしてＩＦ（インターフェース）コントローラ３１を介して第１記録媒体３２に記録される。
【００２１】
データバス２０には、ＩＦコントローラ３３を介して第２記録媒体３４が接続されている。この第２記録媒体３４には、静止画データが例えば、ＪＰＥＧファイルとして記録される。静止画データは、ユーザーが操作部１３に設けたフォトボタンを１回操作することに応答してＣＰＵ２６が静止画圧縮／伸張処理部３５を制御し、静止画圧縮／伸張処理部３５は内部メモリ２３に記憶の動画データのうちのその時点の１フレーム分のコマ画像を静止画データとして読み出してＪＰＥＧ圧縮等の形態に変換して第２記録媒体３４に記録する。
【００２２】
第１及び第２記録媒体３２，３４は、メモリーカード、例えば記録容量１２８ＭＢのエックスディーピクチャーカード（登録商標）、又はＭＯなどに代表される着脱可能な記録媒体であってもよいし、着脱できない内部メモリとしてもよい。なお、記録容量が同じものを使用してもよし、また、種類や機能の異なる記録媒体を使用してもよい。一般的には、動画記録用の第１記録媒体３２としては、静止画記録用の第２記録媒体３４よりも容量の大きなものを用いるのが望ましい。
【００２３】
第１及び第２記録媒体３２，３４は、静止画像データまたは動画像データを記録するユーザ使用領域と、ユーザ非使用領域とを備えている。このユーザ非使用領域には、固有のＩＤ（識別）番号が予め記録されている。
【００２４】
また、動画及び静止画データの記録先は、デフォルトで動画データを第１記録媒体３２に、静止画データを第２記録媒体３４に対応付けして記録しているが、操作部１３からの指示により対応付けをユーザーが適宜変更可能としてもよい。
【００２５】
ユーザーが動画記録中に操作部１３に設けたフォトボタンを１回操作すると、システムコントローラ１４から制御信号が発せられ、その時点で静止画記録動作の指令を発する。ＣＰＵ２６は制御信号を受けて、内部メモリ２３からその時点の静止画像データを、例えばＪＰＥＧ方式により画像圧縮処理して第２記録媒体に記録するように、静止画圧縮／伸張処理部３４を制御する。
【００２６】
ＣＰＵ２６は、圧縮した動画データを動画ファイルとして記録する場合、撮影した順番に連続した通し番号のファイル名、例えば「ＤＳＣＦ０００１．  ａｖｉ」，「ＤＳＣＦ０００２．  ａｖｉ」，・・・・となるように付与する。また、圧縮した静止画データを静止画ファイルとして記録する場合も連番となるファイル名、例えば「ＤＳＣＦ０００１．  ｊｐｇ」，「ＤＳＣＦ０００２．  ｊｐｇ」，・・・となるように付与する。なお、各ファイル名の拡張子は、静止画像データは「．  ＪＰＧ」（ＪＰＥＧ）であり、動画像データは「．  ＡＶＩ」（モーションＪＰＥＧ）である。このようなプログラムは、予めＲＯＭ３６に記憶されている。
【００２７】
動画及び静止画ファイルは、ＣＰＵ２６がそのファイルのヘッダに付加情報を付与して記録される。付加情報を記録するタイミングとしては、記録媒体３２，３４に記録する前、又は、記録した後に読み出して更新するようにしてもよい。付加情報としては、撮影日時や再生トータル時間、関連ファイルの有無、記録した記録媒体３２，３４の固有番号などの情報になっている。関連ファイルの有無情報は、動画ファイルの場合、その記録中に取り込んだ静止画ファイルがあるか否かの情報となっている。一方、静止画ファイルの場合には、取り込み対象の動画ファイルがあるか否かの情報となっている。
【００２８】
ＣＰＵ２６は、各記録媒体３２，３４の残容量を監視するプログラムや記録媒体３２，３４同士の間でファイルの移動、消去などのファイル操作を行うプログラムを適宜ＲＯＭ３６から読み出して実行する。
【００２９】
ＣＰＵ２６は、図２に示すように、動画記録完了後に、ＩＦコントローラ３１を介して第２記録媒体３４に記録の静止画ファイルの付加情報を参照して先の動画記録中に記録した静止画ファイルが存在するか否か検索し、ある場合には、第１記録媒体３２の空き容量を検知する。そして、先の動画記録中に記録した全ての静止画ファイルの容量を検知する。
【００３０】
ＣＰＵ２６は、第１記録媒体３２の空き容量と関連する静止画ファイルのみの容量とを比較して、第２記録媒体３４に記録の関連の静止画ファイルの容量よりも第１記録媒体３２の空き容量が多い場合には、第２記録媒体３４に記録した静止画ファイルを第１記録媒体３２に移動するように、第１及び第２記録媒体３２，３４のＩＦコントローラ３１，３３を制御する。この移動は、静止画ファイルを第２記録媒体３４から第１記録媒体３２にコピーした後に、第２記録媒体３４からコピーした元の静止画ファイルを削除する処理のことである。そして、第１記録媒体３２の空き容量が先の動画記録中に記録した全ての静止画ファイルの容量よりも少ない場合には、移動しない。
【００３１】
ＣＰＵ２６は、動画記録完了後に静止画ファイルを第１記録媒体３２に移動した場合、これに応答して移動対象の静止画ファイルの付加情報、すなわち、ヘッダに記載の記録媒体の固有番号を更新してから第１記録媒体３２に書き込む。
【００３２】
ところで、第１記録媒体３２に複数の静止画ファイル全てを書き込む容量がなくても、静止画ファイル１個分以上を書き込むことができる空き容量が存在する場合がある。この場合には、少なくとも１個のファイルを移動するようにしてもよい。
【００３３】
この場合には、図３に示すように、まず、先の動画記録中に記録した静止画ファイルの１個分以上の空き容量が第１記録媒体３２に存在するか否かを判断する。存在する場合には、動画記録中に記録した静止画ファイルが複数か否かを判断する。１個しか存在しない場合には移動する。空き容量がない場合には、静止画データ移動不可の旨のエラー表示をモニタ２４に行って、静止画データの移動を禁止する。なお、動画記録中に取り込んだ複数の静止画データは全て容量が同じであるため、１個の静止画データの容量を調べるだけで空きがあるか否かを直ぐに判断することができる。
【００３４】
さらに、複数の静止画データが存在する場合には、第２記録媒体３４に記録した順に静止画ファイルを第１記録媒体３２に自動的に移動する。この場合には、第１記録媒体３２に空き容量が存在しくなった時点で移動処理が完了する。
【００３５】
ところで、ユーザーが所望する静止画ファイルのみを移動したい場合がある。この場合には、第２記録媒体３２に記録の静止画ファイルをモニタ２４に書き込み順に表示させ、かつ、静止画ファイルごとに移動させるか否かを問い合わせるメッセージを表示して、操作部１３から移動指示のあった静止画ファイルを第１記録媒体３２に移動していく。この場合、第１記録媒体３２の空き容量が無くなった時点で移動操作モードを完了する。
【００３６】
このように本実施形態のデジタルカメラ１０では、動画記録中に動画データを静止画データが記録された記録媒体３４とは別の一方の記録媒体３２に記録するから、静止画撮影の有無に影響されずに、動画記録時間を前記一方の記録媒体３２の空き容量に応じた分だけ確実に確保することができる。また、逆に、動画記録中に静止画記録を行う場合、動画記録の容量によって静止画記録の回数が制限されることがない。
【００３７】
ところで、ユーザーが記録媒体３２，３４に記録したファイルを削除する操作を行う場合がある。第１記録媒体３２のファイルを削除すると、当然であるが空き容量が増える。そこで、動画又は静止画をモニタ２４に再生又は表示した後に、再生した動画ファイルに関連する静止画ファイル、又は表示した静止画ファイルを移動するようにしてもよい。
【００３８】
この場合には、操作部１３で再生モードを選択し、次に、記録媒体を選択することで、選択した記録媒体に記録したファイル名がモニタ２４に表示される。このとき、静止画ファイルの場合には、縮小したサムネイル画像を表示し、また、動画ファイルの場合には、最初のコマのサムネイル画像を表示するようにすると選択が簡便となる。ユーザーは、モニタに表示したファイル名を選択して操作部１３に設けた実行ボタンを操作する。これにより、選択したファイルが再生又は表示される。
【００３９】
図４に示すように、再生完了後、再生した動画ファイルに関連する静止画ファイルが第２記録媒体３４に存在するか否かを判断する。このとき、ファイルのヘッダに記載の関連情報を参照する。再生した動画ファイルに関連する静止画ファイルが存在する場合には、次に、第１記録媒体３２にそのファイルの容量分の空き容量があるか否かを判断する。そして、空き容量がある場合には、第２記憶媒体３４に記録の関連した静止画ファイルを第１記録媒体３２に移動する。このとき、移動した静止画ファイルのヘッダに記載の記録媒体の固有番号を移動先の記録媒体の固有番号に更新する。
【００４０】
同じく、静止画ファイルをモニタ２４に表示した後にも第１記録媒体３２に空き容量がある場合にその静止画ファイルを第１記録媒体３２に移動する。なお、静止画ファイルを表示した後に移動する代わりに、表示中に移動してもよい。この場合、静止画データを内部メモリ２３に読み出すことで、表示中でも第１及び第２記録媒体３２，３４の読み出し及び書き込みが行える。
【００４１】
このように本実施形態では、動画及び静止画ファイルのヘッダに静止画及び動画ファイルの互いを関連付けする関連情報を書き込んでいるため、第１記録媒体の空き容量の変化に伴う移動処理を動画再生後、若しくは静止画表示中又は後でも簡単に行うことができる。まあ、このような移動処理を外部操作により行うのではなく、動画再生後、若しくは静止画表示中又は後で自動的に行うようになっているから、移動操作が簡便である。なお、動画又は静止画ファイルを再生又は表示したときに付加情報、特に関連情報も一緒に表示するようにすれば好適である。
【００４２】
カメラ１０のデータバス２０（図１参照）には、コネクタ４０とターゲットコントローラ４１とからなるインターフェース４２、例えばＵＳＢインターフェースが設けられている。このコネクタ４０と、パソコンのホストコントローラに設けたコネクタとを接続することで、カメラ１０はパソコンの周辺機器（ＵＳＢターゲット）として動作する。
【００４３】
すなわち、デジタルカメラ１０とパソコンとを接続すると、カメラ１０の各記録媒体３２，３４がパソコン上で装置番号（ドライブ番号）の異なるリムーバブルドライブとしてそれぞれ認識される。よってパソコン上でリムーバブルドライブのドライブ番号を選択することで第１又は第２記録媒体３２，３４に記録したファイルをそれぞれ参照することができ、また、パソコンのハードディスクにこれらファイルを簡単に転送することができる。このとき、第１記録媒体３２には、動画ファイルに関連した静止画ファイルが一緒に記録されているので、一々第２記録媒体３４に応じたドライブを参照して関連する静止画ファイルを探すことなく、簡単に動画ファイル及びそれに関連する静止画ファイルをパソコンに取り込むことができる。
【００４４】
また、上記実施形態では、記録媒体３２，３４としては、メモリカードではなく、マイクロドライブ（登録商標）、ビデオテープレコーダーなど種々のものが使用できる。この場合、使用される記録媒体に応じた信号処理手段とインターフェースが適用すればよい。また、２つの記録媒体３２，３４の組み合わせも、種類，容量など、上記の態様に限定されないのはもちろんである。さらに、３個以上の記録媒体を設け、これらを２つのグループに分けてそれぞれ動画記録用、及び静止画記録用として使用してもよい。これらのグループ分けはユーザーの操作で決められるように構成しておくのが望ましい。
【００４５】
また、上記実施形態では、デジタルカメラ１０として説明しているが、本発明ではこれに限らず、ビデオカメラ、デジタルビデオカメラなどのテレビカメラ付き画像記録装置や、テレビカメラを繋げて使用する画像記録装置、さらにはテレビカメラ付き携帯電話やテレビカメラ付きＰＤＡ（Ｐｅｒｓｏｎａｌ  Ｄｉｇｉｔａｌ  Ａｓｓｉｓｔａｎｔ）等の画像記録装置にも適用することができるのはいうまでもない。
【００４６】
【発明の効果】
以上詳述したように本発明によれば、動画データの記録を終了した後、動画データを記録する第１記録媒体に空き容量がある場合に、その動画記録中に記録した静止画データを第２記録媒体から第１記録媒体に移動するようにしたから、動画データとその動画記録中に記録した関連の静止画データとを同じ記録媒体に一緒に記録することができ、よって、動画データとそれに関連の静止画データとを簡単に参照することができる。
【図面の簡単な説明】
【図１】本発明を実施したデジタルカメラの構成を示すブロック図である。
【図２】動画記録中に静止画撮影が行われるときのカメラの動作を示すフローチャート図である。
【図３】静止画ファイル１個分を書き込む分の空き容量が第１記録媒体に存在する場合のカメラの動作を示すフローチャート図である。
【図４】動画ファイルを再生後に、静止画ファイルを書き込む分の空き容量が第１記録媒体に存在する場合のカメラの動作を示すフローチャート図である。
【符号の説明】
１０  デジタルカメラ
１１  撮影レンズ
１２  ＣＣＤ
１９  データバス
３１，３２  ＩＦコントローラ
４２  外部通信用のインターフェース
【図１】
2005012378.tif 000003
【図２】
2005012378.tif 000004
【図３】
2005012378.tif 000005
【図４】
2005012378.tif 000006